(57)【要約】【課題】  栓刃の配置が特殊なプラグはいちいちプラグの向きを調整してコンセントに差し込んだ。特に屋外のコンセントは下から差し込みにくい。プラグがコンセントから抜け落ちやすく、雨の使用時には感電の恐れがあった。またコンセントは外観のデザイン性や多様性に乏しかった。このような問題を解決する自動車充電施設用のプラグ・コンセント接続装置を提供する。【解決手段】  プラグホルダにプラグを嵌め込んで、プラグホルダが付属するアームを回動させ、プラグを直接手に持たずにプラグの栓刃をコンセントに差し込む。ストッパーとストッパー受けがコンセントプラグの接続状態を保持し、接続操作に連動して開閉するカバーは外殻体として意匠的、機能的に多様性を持つ、安全で使いやすい自動車充電施設用のプラグ・コンセント接続装置。【選択図】図１２
2011222466.tif 000002
【特許請求の範囲】
【請求項１】
ベースと、このベースに設けられたヒンジと、このヒンジに一端が取り付けられた絶縁材料からなる回動可能なアームと、このアームの他端に設けられプラグを所定姿勢に保持するプラグホルダと、前記ベースに設けられ、前記アームが前記ベース側へ回動した状態で前記保持されたプラグの栓刃が差し込まれるコンセントと、を有してなる事を特長とする自動車充電施設用のプラグ・コンセント接続装置。
【請求項２】
請求項１記載の発明で、アームに付属するストッパーと、コンセントとプラグが接続した状態で前記ストッパーに係り合う、ベースに付属するストッパー受けと、を有してなる事を特徴とする自動車充電施設用のプラグ・コンセント接続装置。
【請求項３】
請求項１、請求項２内のいずれか一項記載の発明で、アームが付属するヒンジと相対するベース部分に設けられたヒンジに、回動可能に一端が取り付けられた、コンセントとプラグホルダを覆うカバーと、を有してなる事を特徴とする自動車充電施設用のプラグ・コンセント接続装置。
【請求項４】
請求項３記載の発明で、アームにからカバーのヒンジ方向に延びる開閉枝と、前記アームがベース側と相対する側へ回動するに伴い、前記開閉枝の端部が接してスライドする前記カバーの内側に設けた弦状部と、を有してなる事を特徴とする自動車充電施設用のプラグ・コンセント接続装置。
【請求項５】
請求項３記載の発明で、カバーの内側に設けられた照明を有してなる事を特徴とする自動車充電施設用のプラグ・コンセント接続装置。
【請求項６】
請求項３記載の発明で、カバーが透過性材料からなり、ベースに設けられた照明を有してなる事を特徴とする自動車充電施設用のプラグ・コンセント接続装置。
【請求項７】
請求項１記載の発明で、プラグに装着するアタッチメントはプラグホルダの内側面の形状に沿う外側の形状を持ち、前記アタッチメントを前期プラグホルダに嵌め込み、前期プラグを所定姿勢に保持する事を特徴とする自動車充電施設用のプラグ・コンセント接続装置。
【発明の詳細な説明】
【技術分野】
【０００１】  本発明は差し込みが容易で感電の恐れが少なく、デザイン・機能に多様性を持つ自動車充電施設用のプラグ・コンセント接続装置に関する。
【背景技術】
【０００２】  従来はプラグの栓刃をコンセントに差し込む際に、プラグを直接手に持ってその栓刃をコンセントに差し込んでいた。【０００３】  従来はコンセントにプラグの栓刃の向きが合う所定姿勢になるようにプラグの向きを調節してコンセントに差し込んでいた。【０００４】  プラグをコンセントから引き抜く際にプラグのコードを引っ張ってコンセントから抜く事があった。【０００５】  従来はプラグの栓刃をコンセントの刃受けバネが挟んでプラグとコンセントの接続状態を保った。【０００６】  接続状態を保持するために鍵状の栓刃をコンセントの挿入口に差し込んだ後にプラグを回転させてその鍵状の栓刃をコンセントの刃受けバネに引掛けて固定していた。【０００７】  コンセントに付属する蓋を開けてコンセントにプラグの栓刃を差し込んで使用する物があった。【０００８】  挿入口に併設した照明を有するコンセントがあった。【０００９】  コンセントは電気接続の機能しか無かった。【００１０】  プラグの栓刃の形状と配列が同じでも、本体の外形形状が異なるプラグがあった。【００１１】  コンセントとプラグの接続状態を維持する特許文献１、コンセントからの抜け落ちを防止する特許文献２のコンセントがあった。また、コンセントの汚れ等を防止する特許文献３、接続部に塵芥が付着するのを防止する特許文献４がある。
【先行技術文献】
【００１２】
【特許文献１】特開２００４−２０００８３
【特許文献２】実新開平７−１６３７６のプラグ抜止装置
【特許文献３】特開２００４−１９２８３０
【特許文献４】特開２００２−１８６１３５
【発明の概要】
【発明が解決しようとする課題】
【００１３】  プラグを直接手に持ってその栓刃をコンセントに差し込む際に、プラグ若しくはコンセントのどちらかに異常がある場合や、プラグ若しくはコンセントのどちらかが濡れている場合には感電する危険性があった。【００１４】  プラグの栓刃の形状と配列が特殊でコンセントに差し込む向きが限定されるプラグは、コンセントに対してプラグの栓刃の向きが合う所定姿勢になるようにプラグの向きを調節しなければならず、プラグの栓刃をコンセントに差し込む際にプラグの向きに迷う事があった。【００１５】  プラグをコンセントから引き抜く際にプラグのコードを引っ張ってコンセントから抜くと、プラグ内部のコード接続部分を痛めたり、プラグを真直ぐに引き抜けるとは限らないのでプラグの栓刃がコンセント内部の刃受けバネを痛めたり、コンセントの本体を損傷する事があった。【００１６】  プラグの栓刃をコンセントの刃受けバネが挟んでプラグとコンセントの接続状態を保つ仕組みは、刃受けバネの挟む力が弱まると、プラグの栓刃がコンセントから抜けやすくなった。【００１７】  接続状態を保持するために鍵状の栓刃をコンセントの挿入口に差し込んだ後にプラグを回転させてその鍵状の栓刃をコンセントの刃受けバネに引掛けるコンセントは、差し込む動作に加えプラグを回転させて、その鍵状の栓刃をコンセントの刃受けバネに上手く引掛けるのにコツが必要だった。【００１８】  コンセントに付属する蓋を開けてコンセントにプラグの栓刃を差し込んで使用する物は、蓋がプラグホルダまで覆えなかった。【００１９】  コンセントに付属する蓋を開けてコンセントにプラグの栓刃を差し込んで使用する物は使用毎にカバーを開けなければならず面倒だった。【００２０】  夜間や暗い場所で使用する挿入口に併設した照明を有するコンセントは、コンセントの挿入口に光が当たらないために、プラグの栓刃をコンセントに挿入する際に挿入口が見え辛く、使いにくかった。【００２１】  コンセントは電気接続の機能のみしか無かったので、デザイン性や意匠性に乏しく、訴求的効果が無かった。【００２２】  プラグの栓刃の形状と配列が同じでも、本体の外形形状が異なるために請求項１のプラグホルダに嵌め込めないプラグがあった。
【課題を解決するための手段】
【００２３】  ベースと、このベースに設けられたヒンジと、このヒンジに一端が取り付けられた絶縁材料からなる回動可能なアームと、このアームの他端に設けられプラグを所定姿勢に保持するプラグホルダと、前記ベースに設けられ、前記アームが前記ベース側へ回動した状態で前記保持されたプラグの栓刃が差し込まれるコンセントと、を有してなる事を特長とする。【００２４】  請求項１記載の発明で、アームに付属するストッパーと、コンセントとプラグが接続した状態で前記ストッパーに係り合う、ベースに付属したストッパー受けと、を有してなる事を特徴とする。【００２５】  請求項１、請求項２内のいずれか一項記載の発明で、アームが付属するヒンジと相対するベース部分に設けられたヒンジに、回動可能に一端が取り付けられた、コンセントとプラグホルダを覆うカバーと、を有してなる事を特徴とする。【００２６】  請求項３記載の発明で、アームからカバーのヒンジ方向に延びる開閉枝と、前記アームがベース側と相対する側へ回動するに伴い、前記開閉枝の端部が接してスライドする前記カバーの内側に設けた弦状部と、を有してなる事を特徴とする。【００２７】  請求項３記載の発明で、カバーの内側に設けられた照明を有してなる事を特徴とする。【００２８】  請求項３記載の発明で、カバーが透過性材料からなり、ベースに設けられた照明を有してなる事を特徴とする。【００２９】  請求項１記載の発明で、プラグに装着するアタッチメントはプラグホルダの内側面の形状に沿う外側の形状を持ち、前記アタッチメントを前期プラグホルダに嵌め込み、前期プラグを所定姿勢に保持する事を特徴とする。
【発明の効果】
【００３０】  以上説明したように、本発明の請求項１記載の発明により、絶縁材料からなるプラグホルダがプラグを所定姿勢で保持し、プラグホルダが付属するアームを回動させてプラグの栓刃をコンセントに差し込む。これによりプラグを直接手で持たずにその栓刃をコンセントに差し込む事が出来るので、プラグ若しくはコンセントのどちらかに異常がある場合や、プラグ若しくはコンセントのどちらかが濡れている場合にも感電する危険性が少ない。【００３１】  本発明の請求項１記載の発明により、プラグの栓刃の形状と配列が特殊でコンセントに差し込む向きが限定されるプラグでも、プラグホルダにプラグが所定姿勢で保持されるので、プラグの向きを調節しなくてよい。これによりプラグの栓刃をコンセントに差し込む際にプラグの向きに迷う事が無くコンセントに差し込むことが出来る。【００３２】  本発明の請求項１記載の発明により、コンセントとプラグが接続した状態から、アームをベース側と相対する側へ回動させると、プラグホルダに保持されたプラグの栓刃をコンセントから真直ぐに引き抜ける。これによりプラグ内部のコード接続部分を痛めたり、プラグの栓刃がコンセント内部の刃受けバネを痛めたり、コンセントの本体を損傷することが無い。【００３３】  本発明の請求項２記載の発明により、プラグとコンセントの接続状態においてアームに付属するストッパーと、ストッパーに係り合うベースに付属するストッパー受けによりコンセントとプラグの間隔が保持されて接続状態を保つ。これにより受刃バネの挟む力が弱まってもプラグの栓刃がコンセントから抜けやすくなる事が無い。【００３４】  本発明の請求項２記載の発明により、プラグとコンセントの接続状態においてストッパーとストッパー受けによりプラグとコンセントの間隔が保持され接続状態を保つ。これにより栓刃をコンセントの刃受けバネに引掛けて接続状態を保つ必要が無いので接続にコツが不要になる。【００３５】  本発明の請求項３記載の発明により、コンセントとプラグホルダをカバーが覆い、コンセントとプラグの接続中はカバーが閉まるのでコンセントとプラグとプラグホルダを雨や埃から保護できる。【００３６】  本発明の請求項４記載の発明により、アームがベース側と相対する側に回動するに伴いカバーが開き、アームがベース側へ回動するに伴いカバーが閉じる。これにより使用に際してカバーが自動的に開閉するので手間が省ける。【００３７】  本発明の請求項５の発明により、夜間や暗い場所でプラグの栓刃をコンセントに差し込む際に、カバーの内側に設けられた照明がプラグとコンセントの接続部分を照らす。これにより夜間や暗い場所でもプラグをコンセントに差し込みやすい。さらにカバーの内側が反射板となる。これにより手元が明るくなるので夜間や暗い場所でも使いやすい。【００３８】  本発明の請求項６の発明により、ベースに設けられた照明の光が透過性材料からなるカバーを透過しカバーが光って見える。これにより当該装置はデザイン性や意匠性に富み、夜間や暗い場所で当該装置を訴求させる事が出来る。【００３９】  本発明の請求項７の発明により、プラグの栓刃の形状と配列が同じでも、プラグの外形形状が異なるために請求項１のプラグホルダに嵌���込めないプラグの場合は、プラグホルダの内側面の形状に沿う外側の形状を持つアタッチメントをプラグに装着して、アタッチメントをプラグホルダに嵌め込み、プラグを所定姿勢に保持する。これにより請求項１のプラグホルダに本体の外形形状が異なるために請求項１のプラグホルダに嵌め込めないプラグでも、プラグホルダにプラグを所定姿勢に保持出来るので請求項１の発明の装置を汎用できる。
【図面の簡単な説明】
【００４０】
【図１】  本発明実施例のアーム１、プラグホルダ２、プラグ３、ベース５、コンセント６の関係を示す斜視図
【図２】  本発明実施例のプラグホルダ２にプラグ３を嵌め込んだ準備状態の断面図
【図３】  本発明実施例のプラグ突起１３を有するプラグ３−１と突起受け１４を有するプラグホルダ２−１の斜視図
【図４】  本発明実施例の接続状態の側面図
【図５】  本発明実施例のアーム１、プラグホルダ２、プラグ３、ベース５、コンセント６、ストッパー１５、ストッパー受け１６の関係を示す斜視図
【図６】  本発明実施例の収納状態の側面図
【図７】  本発明実施例のカバー１７を取り付けた準備状態の斜視図
【図８】  本発明実施例のカバー１７を取り付けた接続状態の断面図
【図９】  本発明実施例のカバー１７を取り付けた収納状態の断面図
【図１０】  本発明実施例のカバー１７とカバー２４を取り付けた準備状態の斜視図
【図１１】  本発明実施例のカバーアーム２５の斜視図
【図１２】  本発明実施例の外殻にデザイン性を持たせた斜視図
【図１３】  本発明実施例のデザイン性を持たせた外殻体に模様をあしらった図
【図１４】  本発明の実施例のカバー１７−１の開閉に連動するカバーアーム２５−１を備えた収納状態の斜視図
【図１５】  本発明の実施例のカバー１７−１の開閉に連動するカバーアーム２５−１を備えた準備状態の斜視図
【図１６】  本発明の実施例のカバー１７−１の開閉に他の方法で連動するカバーアーム２５−１を備えた収納状態の斜視図
【図１７】  本発明の実施例のカバー１７−１の開閉に他の方法で連動するカバーアーム２５−１を備えた準備状態の斜視図
【図１８】  本発明の実施例の漏電遮断機３５をベース５−１に併設した正面図
【図１９】  本発明の実施例のコンセント６−１と、プラグホルダ２−３が付属するアーム１−１をベース５−１に併設した正面図
【図２０】  本発明の実施例のプラグホルダ２を照らす照明３７をカバー１７−１の内側に設けた断面図
【図２１】  本発明の実施例の透過性の外殻を有しベース５に照明３８を設けた断面図
【図２２】  本発明実施例のデザイン性を持った外殻に表示３６を施した斜視図
【図２３】  本発明実施例のアタッチメント４０をプラグ３９に装着した斜視図
【図２４】  本発明実施例のアタッチメント４０の絞めビス４１をプラグ突起１３−１部分に配してプラグ３９に装着した斜視図
【発明を実施するための形態】
【００４１】  以下本発明の実施形態について、当該装置を鉛直の面に設置した場合、装置の設置面側を後方、設置面側と反対側を前方とし、装置の下側を下方、上側を上方として当該装置の構成を説明する
【００４２】  図１に示すようアーム１の１端はヒンジ４を介してベース５に前後方向に回動可能に接続されている。アーム１の他端は絶縁性材料からなるプラグホルダ２が設けられている。プラグホルダ２はプラグ３の外形の形状に沿う内側面の形状を持ち、プラグ３を嵌め込んで所定姿勢に保持する。
【００４３】  コンセント６はプラグ３の栓刃７の形状と配列に合致した刃受けバネと挿入口８を有し、ベース５に取り付けられている。コンセント６はプラグ３を栓刃７をベース５方向に向けてプラグホルダ２に所定姿勢で嵌め込んで、アーム１を後方へ回動すると、プラグ３の栓刃７がその軌跡上にあるコンセント６に差し込まれる位置にある。
【００４４】  アーム１が後方へ回動するときに、アーム１の回動円弧により栓刃７の角度が変化する。挿入時の栓刃の角度の変化に合わせてコンセント６は上下に回動可能にヒンジ９を介してベース５に取り付けられている。これによりプラグ３の栓刃７をコンセント６にスムーズに差し込む事が出来る。
【００４５】  図２に示すようにプラグホルダ２のコンセント６側にはプラグ３を嵌め込んだ状態で、プラグ３の栓刃７に干渉しない高さの立ち上がり１０があり、プラグホルダ２の立ち上がり１０に相対する側にはプラグコード１１に干渉しない高さの立ち上がり１０−１がある。これによりプラグ３はプラグホルダ２に前後方向の動きを固定される。
【００４６】  図２に示すように、プラグホルダ２にプラグ３を嵌め込んだときに、コード受け１２がプラグコード１１の付け根付近でコード１１を支える。これによりプラグホルダ２がプラグ３を安定して所定姿勢に保持できる。
【００４７】  図３に示すようにプラグ３−１の下側にはプラグ突起１３があり、プラグホルダ２−１の底部にはプラグ突起１３を嵌め込む形状の突起受け１４が欠き込まれている。プラグ３−１をプラグホルダ２−１に嵌め込むとプラグ突起１３が突起受け１４に嵌まる。これによりプラグ３−１はプラグホルダ２−１に前後方向の動きを固定されるので、プラグホルダの立ち上がり１０若しくは立ち上がり１０−１を省略する事もできる。
【００４８】  プラグホルダ２の底部には水抜き用の穴を設けると雨水などがプラグホルダ２に溜まらないで適時に排水できてよい。
【００４９】  以下、本発明の使用の説明を行う。図２に示すようにプラグホルダ２がコンセント６から離れ、プラグ３を栓刃７をベース５方向に向けて所定姿勢でプラグホルダ２に嵌め込んだ状態を準備状態とする。
【００５０】  準備状態からアーム１が後方へ回動し、ブラグ３の栓刃７がコンセント６に差し込まれた図４の状態を接続状態とする。
【００５１】  先ず、プラグ３を栓刃７をベース５方向に向けてプラグホルダ２に嵌め込んで図２に示す準備状態にする。このときプラグホルダ２はコンセント６の挿入口８の向きにプラグ３の栓刃７の配列が合う所定姿勢でプラグ３をコンセント６に対峙させる。
【００５２】  アーム１を後方に回動させてプラグホルダ２をベース５側に押し付けるとプラグ３の栓刃７がコンセント６に真直ぐに差し込まれ図４に示す接続状態となる。
【００５３】  絶縁材料からなるプラグホルダ２がプラグ３を所定姿勢で保持するので、プラグ３とコンセント６との接続に際して直接プラグ３を手に持つ事が無い。これによりプラグ若しくはコンセントのどちらかに異常がある場合や、プラグ若しくはコンセントのどちらかが濡れている場合にも感電する危険性が少なくなる。
【００５４】  接続状態からプラグ３をコンセント６から抜くにはアーム１を前方に回動させればよい。
【００５５】  この場合もプラグ３の栓刃７はコンセント６から真直ぐに引き抜けるので栓刃７が刃受けバネやコンセント６本体に負担をかける事が少ない。またプラグ３を直接手に持たずにコンセント６から引き抜ける。これによりプラグ若しくはコンセントのどちらかに異常がある場合やプラグ若しくはコンセントのどちらかが濡れている場合にも感電の危険性が少なくなる。
【００５６】  以上の説明のとおり、請求項１の発明によりプラグ３の栓刃７をコンセント６に差し込む際に挿入口８に合わせてプラグ３の向きを調整する煩わしさが無く、プラグ３をプラグホルダ２に嵌め込んでアーム１を後方に回動させるだけでプラグの向きに迷うことなくプラグ３の栓刃７をコンセント６に差し込む事が出来る。
【００５７】  特に従来の下方からプラグを差し込むコンセントで低い位置に設置された物は、コンセントの挿入口が見えずに感に頼ってコンセントにプラグの栓刃を差し込んでいた。これに比べ、プラグ３をプラグホルダ２に嵌め込んでアーム１を後方に回動させるだけで栓刃７をコンセント６に差し込めるので簡単である。
【００５８】  図５に示すように弾性を持つストッパー１５はアーム１に付属し、ストッパー受け１６はベース５に付属する。アーム１が後方へ回動するときに、ストッパー１５の外側面とストッパー受け１６の内側面が接し合う位置となる。ストッパー１５はそのベース５に近い部分の外側面に爪状部分１５−１を有し、ストッパー受け１６は端部に爪状部１５−１が咬み込む掛けバー１６−１を有す。図４の接続状態では爪状部分１５−１は掛けバー１６−１に咬み込み、ストッパー１５とストッパー受け１６は係合する。
【００５９】  係合を解放するには、ストッパー１５の爪状部分１５−１のアーム側部分を内側方向に押して爪状部分１５−１と掛けバー１６−１の咬み込みを外す。
【００６０】  ストッパー１５がベース５に付属し、ストッパー受け１６がアーム１に付属していても同様の効果が得られる。ストッパーとストッパー受けは係合と解除が簡単に出来るような機構であれば他の方法でもよい。
【００６１】  接続状態においてストッパー１５がストッパー受け１６と係合し、アーム１はベース５に一定の間隔で保持され、図４に示すようにコンセント６とプラグ３の接続状態が保たれる。これにより栓刃７が刃受けバネやコンセント６本体に負担をかける事が少なく、刃受けバネの挟む力が弱まってもプラグ３の栓刃７がコンセント６から抜けやすくなる事が無い。
【００６２】  さらに接続状態を保持するためにプラグの鍵状栓刃をコンセントの刃受けバネに引掛ける必要が無い
【００６３】  コンセント６からプラグ３を抜くときは前述の方法でストッパー１５をストッパー受け１６から解放し、アーム１を前方に回動させるとコンセント６とプラグ３の接続が解かれ準備状態となる。
【００６４】  準備状態からプラグ３をプラグホルダ２から外し、アーム１を後方に回動させてコンセント６にプラグホルダ２を近付けると、ストッパー１５の爪状部１５−１がストッパー受け１６の掛けバー１６−１に咬み込む。これでアーム１がベース５に固定され図６に示す収納状態となる。
【００６５】  アーム１の形状は図１のような単体で構成される他に棒状の脚を組み合わせてもよい。
【００６６】  本発明のコンセント６をヒンジ９で着脱可能に取り付けると、使用するプラグの形状や栓刃の形状に合わせてコンセントが取替え可能になり好ましい。
【００６７】  本発明のプラグホルダ２をアーム１に着脱可能に取り付けると、使用するプラグの形状に合わせてプラグホルダが取替え可能になり好ましい。
【００６８】  以下、本発明の請求項３の発明を用いた装置で、コンセント６とプラグ３とプラグホルダ２を十分に覆うに足りる大きさのカバー１７が、降雨や埃からコンセント６とプラグ３とプラグホルダ２を保護する仕組みを説明する。
【００６９】  図７に示す通り、カバー１７はコンセント６よりも上方の部分のベース５にヒンジ１９を介して前後方向に回動可能に取り付けられている。
【００７０】  図８に示すようにアーム１に付属しヒンジ１９方向へ伸びる開閉枝２１があり、カバー１７内側でヒンジ１９部分からカバー１７のヒンジ１９と相対する側に延びる弦状部２２があり、開閉枝２１の端部２３は接続状態においてヒンジ１９近くで弦状部２２に接している。
【００７１】  アーム１が前方へ回動すると、図７に示すようにアーム１から伸びる開閉枝２１の端部２３がカバー１７内側の弦状部２２に接しながら前方へスライドする。開閉枝２１の端部２３がスライドしながら弦状部２２を押し上げ、カバー１７は上方へ押し上げられて準備状態となる。このようにアーム１の前方への回動に伴ってカバー１７が開くので手間が省ける。
【００７２】  コンセント６とプラグ３とプラグホルダ２はカバー１７に覆われて降雨や埃から保護される。
【００７３】  プラグホルダ２にプラグ３を嵌め込んだ図７に示す準備状態からアーム１を後方へ回動させると、アーム１の回動とともに動く開閉枝２１の端部２３がカバー１７内側の弦状部２２に接しながら後方へスライドする。開閉枝２１の端部２３がヒンジ１９付近に達すると、カバー１７は自重により下降する。このようにアーム１の後方への回動に伴ってカバー１７が閉まるので手間が省ける。
【００７４】  アーム１をベース５側に押し付けると、コンセント６に栓刃７が挿入されて、ストッパー１５がストッパー受け１６に係合し、アーム１が固定された図８に示すように接続状態となる。後面カバー１８は周辺縁部分に水返し２０を有し、カバー１７の縁が後面カバー１８の水返し２０の外側に位するので雨の侵入を防ぐ。
【００７５】  カバー１７は接続状態においてコンセント６、プラグホルダ２およびプラグ３を覆い降雨や埃から保護する。
【００７６】  準備状態でプラグホルダ２からプラグ３を外し、アーム１を後方へ回動させると、アーム１の回動とともに動く開閉枝２１の端部２３がカバー１７内側の弦状部２２に接しながら後方へスライドする。開閉枝２１の端部２３がヒンジ１９付近に達すると、カバー１７は自重により下降する。
【００７７】  アーム１をベース５側に押し付けると、ストッパー１５がストッパー受け１６に咬み込み、アーム１が固定される。カバー１７の縁が後面カバー１８の水返し２０の外側に位置し、非使用時はカバー１７がプラグホルダ３とコンセント６を覆い図９に示す収納状態になる。
【００７８】  後面カバー１８はベース５と着脱可能に取付けると後面カバー１８のみを交換できるので好ましい。
【００７９】  後面カバー１８にヒンジ４介してアーム１を取り付け、ヒンジ９を介してコンセント６を取り付け、ヒンジ１９を介してカバー１７を取り付けて、後面カバー１８にベース５と同様の機能を持たせると後面カバー１８とベース５は兼用できる。
【００８０】  開閉枝２１の端部２３に滑り車を設け、弦状部２２をレール状にするとスライドが滑らかになり、カバー１７はアーム１の回動に連動してスムーズに開閉出来る。
【００８１】  従来の屋外で使用するコンセントは防雨カバー下部のコンセントの挿入口を下方から覗き込んでプラグを差し込んでいた。これに比べて当該装置は覗き込むこと無く接続作業が出来るので、使いやすい屋外で使用するコンセントを提供出来る。
【００８２】  図１０に示すように、アーム１のベース５側を除く部分を覆うカバー２４をアーム１に取り付ける。カバー２４はアーム１とともに回動し、収納状態および接続状態においてカバー２４はカバー１７とともに装置を覆う外殻体となる。
【００８３】  カバー２４はヒンジを介してベース５に単独で取り付けて、アーム１に接続してもよい。
【００８４】  カバー１７、カバー２４、後面カバー１８からなる外殻体をベース５、アーム１と着脱可能に構成すると、必要に応じてそれぞれを交換することが出来る。これによりメンテナンス性に優れ、設置環境や、好みに応じて外殻体の種類を取替える事が出来る。
【００８５】  カバー２４にプラグホルダ２−２を付属し、ヒンジ４−１を用いてベース５に回動可能に取り付けてアーム１の機能を持たせると図１１に示すようなカバーアーム２５とすることが出来る。このカバーアーム２５にストッパー２６と開閉枝２１を設ける。これによりアーム１とヒンジ４を省略する事が出来るので構成部材が少なくなる。
【００８６】  カバーアーム２５のストッパー２６に係合するストッパー受け２７は後面カバー１８に付属する。収納状態および接続状態ではストッパー２６がストッパー受け２７に係合して、カバーアーム２５がベース１に一定の間隔で保持される。
【００８７】  ストッパー受け２７からストッパー２６を解除し、カバーアーム２５を前方に回動させると、開閉枝２１がカバー１７を上方へ押し上げて当該装置は開く。
【００８８】  図１２のようにカバー１７−１とカバーアーム２５−１と後面カバー１８−１からなる外殻体を意匠デザイン性を持った形状にすると魅力あるカバー体とすることが出来る。このように好みや目的に合わせて外殻体のデザインを選定する事も可能である。
【００８９】  図１２の形状の外殻体の場合、開閉枝２１はカバーアーム２５−１に付属し、中心から離れた部分を通過させると、プラグ３をプラグホルダ２−２に嵌め込むときや、カバーアーム２５−１を回動させるときの操作に開閉枝２１が干渉せず使い勝手がよくなる。
【００９０】  図１３に示すようにカバー１７−１、カバーアーム２５−１、後面カバー１８−１からなる外殻体の表面に模様をあしらったり木目や石目のシートを貼ったり印刷を施して素材感を出すとデザインの幅が広がる。あるいは表面に凹凸を付けたりすると当該装置をその設置場所のイメージに合わせる事が出来る。
【００９１】  カバー１７−１の開閉に連動してカバーアーム２５−１が開閉する仕組みの例を以下に述べる。図１４に示すようにカバー１７−１に回転軸２８で接続する例えば樹脂製などの柔軟性材料からなる開閉枝２１−１があり、開閉枝２１−１はベース５に付属する中継点２９を経て、ベース５に付属する中継点３０を経由する。
【００９２】  カバーアーム２５−１に回転軸２８−１で接続する例えば樹脂製などの柔軟性材料からなる開閉枝２１−２があり、開閉枝２１−２はベース５に付属する中継点３１を経て、ベース５に付属する中継点３２を経由する。
【００９３】  開閉枝２１−１と開閉枝２１−２は接続点３３で接続され、接続点３３は中継点２９と中継点３０の間にあり、接続点３３は中継点３１と中継点３２の間にある。開閉枝２１−２は接続点３３で開閉枝２１−１に接続しているので開閉枝２１−１に連動して動く。
【００９４】  収納状態からカバー１７−１を前方に回動させて開くと、開閉枝２１−１は接続点３３で接続された開閉枝２１−２を前方に押し出す。開閉枝２１−２はカバーアーム２５−１を前方に回動させて開く。
【００９５】  図１５に示すように栓刃７がコンセント６を向くようにプラグ３をプラグホルダ２−２に嵌め込んだ準備状態から、カバー１７−１を後方に回動させて閉めると、開閉枝２１−１に接続点３３で接続された開閉枝２１−２がカバーアーム２５−１を後方に回動させて閉まる。
【００９６】  カバーアーム２５−１の回動に伴いプラグホルダ２−２に嵌め込まれたプラグ３の栓刃７がコンセント６に差し込まれる位置になると、カバー１７−１の下部分がカバーアーム２５−１に被り重なる。
【００９７】  このカバーアーム２５−１に被り重なるカバー１７−１の下部分をコンセント６側に押し付けると、カバーアーム２５−１に付属するプラグホルダ２−２に嵌め込まれたプラグ３の栓刃７がコンセント６に差し込まれる。これによりプラグ３に直接触れることなく栓刃７をコンセント６に差し込む事が出来る。
【００９８】  カバー２５−１に付属するストッパー２６−１は、ベース５に付属するストッパー受け２７に咬み込む。
【００９９】  開閉枝２１−１の中継点２９付近の湾曲部に筒状で開閉枝２１−１が貫通する鞘状部３４−１を設け、開閉枝２１−２の中継点３１付近の湾曲部に筒状で開閉枝２１−２が貫通する鞘状部３４−２を設ける。これにより開閉枝２１−１および開閉枝２１−２が座屈し難くなり、両方の開閉枝がスムーズに作動する。
【０１００】  開閉枝２１−１はカバー１７−１の内側に、開閉枝２１−２はカバーアーム２５−１の内側に取り付けた方が見栄えがよい。
【０１０１】  カバー１７−１とカバーアーム２５−１は連動して動く。よって開閉操作はカバー１７−１を引いてもカバーアーム２５−１を引いてもよい。
【０１０２】  カバー１７−１とカバーアーム２５−１は連動して動くのでストッパー２６−１は開閉操作の選択によりカバー１７−１に設けてもカバーアーム２５−１に設けてもよい。ストッパー受け２７はベース５の取り付け位置を変えることで対応できる。
【０１０３】  カバー１７−１の開閉に連動してカバーアーム２５−１が開閉するその他の仕組みの例を以下に述べる。図１６に示すようにカバー１７−１に回転軸２８で接続する例えば樹脂製などの柔軟性材料からなる開閉枝２１−３があり、開閉枝２１−３はベース５に付属する中継点２９−１を経て、ベース５に付属する中継点３０−１を経由する。
【０１０４】  カバーアーム２５−１に回転軸２８−１で接続する例えば樹脂製などの柔軟性材料からなる開閉枝２１−４があり、開閉枝２１−４は中継点２９−１を経て、ベース５に付属する中継点３１−１を経由する。
【０１０５】  開閉枝２１−３および開閉枝２１−４は中継点２９−１で互いの面が接し合い、その接し合う面は互いに咬み合う歯車状になっている。
【０１０６】  カバー１７−１を前方に回動させて開くと、開閉枝２１−３が中継点２９−１から引き出される。開閉枝２１−３が歯車状部分で咬み合っている開閉枝２１−４を引き出すと、カバーアーム２５−１は前方に回動して開く。
【０１０７】  図１７に示すように栓刃７がコンセント６を向くようにプラグ３をプラグホルダ２−１に嵌め込んだ準備状態から、カバー１７−１を後方に回動させて閉めると、開閉枝２１−３に中継点２９−１で歯車状部分で咬み合っている開閉枝２１−４がカバーアーム２５−１を後方に回動させて閉める。
【０１０８】  カバーアーム２５−１の回動に伴いプラグホルダ２−２に嵌め込んだプラグ３の栓刃７がコンセント６に差し込まれる位置になると、カバー１７−１の下部分が下部カバーアーム２５−１に被り重なる。
【０１０９】  このカバーアーム２５−１に被り重なるカバー１７−１の下部分をコンセント６側に押し付けると、カバーアーム２５−１に付属するプラグホルダ２−２に嵌め込まれたプラグ３の栓刃７がコンセント６に差し込まれる。これによりプラグ３に直接触れることなく栓刃７をコンセント６に差し込む事が出来る。
【０１１０】  カバーアーム２５−１に付属するストッパー２６−１はベース５に付属するストッパー受け２７に咬み込む。
【０１１１】  カバー１７−１、カバー２４、カバーアーム２５若しくはカバーア−ム２５−１にはいたずら防止や盗電防止のために施錠が出来ると好ましい。ストッパーとストッパー受けを鍵付きにしてもよく、単独の鍵を用いてもよい。またはカバー１７−１に対してカバー２４、カバーアーム２５若しくはカバーアーム２５−１を鍵を用いて固着させて施錠してもよい。
【０１１２】  当該装置を屋外で使用する事を想定した場合、図１８に示すようにベース５−１に漏電遮断機３５を設置して、コンセント６に電源を供給すると漏電の波及が防げる。漏電遮断機３５を切りの状態でプラグ３の栓刃７をコンセント６に差し込み、接続を確認した後に漏電遮断機３５を入りの状態にすると、感電の危険性がさらに減少する。加えてメンテナンスの際に離れた箇所に設置された漏電遮断機を行き来して入り切り操作をするよりも便利である。
【０１１３】  図１９に示すように、ベース５−１にコンセント６と異なる仕様のコンセント６−１を設置し、コンセント６−１に対応するプラグを所定姿勢で保持するプラグホルダ２−３が付属するアーム１−１設ける。これにより例えば１００Ｖと２００Ｖの異なったコンセントを併設することも可能で、使用できる機器の種類の巾が広がり便利である。
【０１１４】  当該装置のベース５−１にタイマーを設置してコンセント６に電源を供給する事ができる。これにより料金の安い深夜時間帯に充電時間を設定できるので電気料金の面で経済的である。
【０１１５】  図２０に示すように照明３７をカバー１７−１の内側に設け、準備状態のプラグホルダ２を照射する。カバー１７−１の内側は白系若しくは鏡面の仕上げの反射板にすると、反射光によりプラグやコンセント部分までが明るくなる。カバー１７−１が開くと点灯し、閉じると消灯する点滅回路を設けると当該装置を夜間や暗い場所で使用する時に便利である。また別にスイッチを設けて点滅させてもよい。照明３７の光源は省エネ、省スペースを鑑みてＬＥＤ光源が好ましく、さらにＬＥＤ光源を透過性材料で覆うと視界に光源が入らず、防眩と埃や汚れ保護ができる。
【０１１６】  図２１に示すようにカバー１７−１、カバー２４、カバーアーム２５若しくはカバーアーム２５−１からなる外殻体若しくは外殻体の一部を透過性材料で形成し、内側からベース５に取り付けた照明３８で透過性材料の外殻を照らす。これにより外殻体全体を光らせる事が出来て、夜間や暗い場所でも遠くからその存在がわかり易い。またカラーの透過性材料若しくはカラーの光源を使用すると意匠性が上がり訴求に効果的である。この照明３８はプラグホルダ３とコンセント６まで照らせる場合は照明３７の機能を兼ねる事ができる。
【０１１７】  さらに図２２に示すように内部に照明３８を持つ透過性の外殻体若しくは一部が透過性の外殻体の表面に名称やロゴ等の表示３６を施すとサインの役割を果たす多機能なカバーとなる。点滅はタイマーやセンサーによるがこの場合も光源は省エネ、省スペースを鑑みてＬＥＤ光源が望ましい。
【０１１８】  コンセントに相応した栓刃の形状や配列のプラグでも、プラグの外側の形状が異なるために、当該装置のプラグホルダ２に嵌め込めないプラグ３９がある。その場合にはプラグ３９を図２３に示すアタッチメント４０で巻き包んで当該装置のプラグホルダ３に嵌め込む。
【０１１９】  アタッチメント４０は内側面がプラグ３９の外形状に沿う形状で、アタッチメント４０の外側面はプラグホルダ２の内側面の形状に沿う外側の形状で、プラグホルダ３に嵌め込める。
【０１２０】  栓刃７形状と配列が同じプラグ３９は本体の形状が異なっても当該装置のプラグホルダ２にアタッチメント４０を介してプラグ３９を栓刃７が所定姿勢でコンセント６に向くようにセットすることが可能になる。これにより請求項１の発明の仕組みに汎用性をもたせ、いろいろな外形状のプラグが使用可能になる。
【０１２１】  アタッチメント４０にプラグ３９を差し込む方法でもよいが、図２３に示すようにビス４１を用いてプラグ３９を締め付けると確実である。またビスを締める勘合部分は図２４に示すようにプラグ突起１３−１部分を兼ねてもよい。
【符号の説明】
【０１２２】１        アーム
１−１    アーム
２        プラグホルダ
２−１    プラグホルダ
２−２    プラグホルダ
２−３    プラグホルダ
３        プラグ
３−１    プラグ
３−２    プラグ
４        ヒンジ
４−１    ヒンジ
５        ベース
５−１    ベース
６        コンセント
６−１    コンセント
７        栓刃
８        挿入口
９        ヒンジ
１０      立ち上り
１０−１  立ち上り
１１      プラグコード
１２      コード受け
１３      プラグ突起
１３−１  プラグ突起
１４      突起受け
１５      ストッパー
１５−１  爪状部
１６      ストッパー受け
１６−１  掛けバー
１７      カバー
１７−１  カバー
１８      後面カバー
１８−１  後面カバー
１９      ヒンジ
２０      水返し
２１      開閉枝
２１−１  開閉枝
２１−２  開閉枝
２１−３  開閉枝
２１−４  開閉枝
２２      弦状部
２３      端部
２４      カバー
２５      カバーアーム
２５−１  カバーアーム
２６      ストッパー
２６−１  ストッパー
２７      ストッパー受け
２８      回転軸
２８−１  回転軸
２９      中継点
２９−１  中継点
３０      中継点
３０−１  中継点
３１      中継点
３２      中継点
３３      接続点
３４−１  鞘状部
３４−２  鞘状部
３５      漏電遮断機
３６      表示
３７      照明
３８      照明
３９      プラグ
４０      アタッチメント
４１      ビス
【図１】
2011222466.tif 000003
【図２】
2011222466.tif 000004
【図３】
2011222466.tif 000005
【図４】
2011222466.tif 000006
【図５】
2011222466.tif 000007
【図６】
2011222466.tif 000008
【図７】
2011222466.tif 000009
【図８】
2011222466.tif 000010
【図９】
2011222466.tif 000011
【図１０】
2011222466.tif 000012
【図１１】
2011222466.tif 000013
【図１２】
2011222466.tif 000014
【図１３】
2011222466.tif 000015
【図１４】
2011222466.tif 000016
【図１５】
2011222466.tif 000017
【図１６】
2011222466.tif 000018
【図１７】
2011222466.tif 000019
【図１８】
2011222466.tif 000020
【図１９】
2011222466.tif 000021
【図２０】
2011222466.tif 000022
【図２１】
2011222466.tif 000023
【図２２】
2011222466.tif 000024
【図２３】
2011222466.tif 000025
【図２４】
2011222466.tif 000026